(57)【要約】      （修正有）【課題】家具エアバッグ内のエアを排出して家具エアバッグを折畳むと、収納箱に収納することができ、且つ収納箱はテーブルとして利用することもでき、スペースを有効に利用することができ、使用が極めて便利なインフレータブル家具セットを提供する。【解決手段】収容空間１１を有し、少なくとも一つの開放可能なサイドプレート１２と、その下面に設けられる複数のキャスターと、一つの伸縮プル１５と、を含む収納箱１０と、収納箱１０と連接するポンプ２０と、ポンプ２０と電気的に連接し、少なくとも一つの制御ツマミ３１と電気的に連接し、制御ツマミ３１はポンプ２０のオン・オフを制御する電源供給装置３０と、収納箱１０のサイドプレート１２の内側に設けられ、ポンプ２０と連接する少なくとも一つの家具エアバッグ４０とを備える。【選択図】図４
0003157663.tif 000002
【実用新案登録請求の範囲】
【請求項１】
収容空間を有し、少なくとも一つの開け可能なサイドプレートと、その下面に設けられる複数のキャスターと、一つの伸縮プルと、を含む収納箱と、
前記収納箱と連接するポンプと、
前記ポンプと電気的に連接し、少なくとも一つの制御ツマミと電気的に連接し、前記制御ツマミは前記ポンプのオン・オフを制御する電源供給装置と、
前記収納箱のサイドプレートの内側に設けられ、前記ポンプと連接する少なくとも一つの家具エアバッグと、
を備えることを特徴とする、インフレータブル家具セット。
【請求項２】
前記収納箱の上面には、チェス、囲碁、又は将棋などの碁盤格子が設けられることを特徴とする、請求項１に記載のインフレータブル家具セット。
【請求項３】
更に、前記収納箱に設けられる音声放送装置を含み、前記音声放送装置は、オーディオ入力部と、オーディオ出力部と、を含み、前記オーディオ入力部には、ＵＳＢメモリや信号伝送ケーブルを電気的に連接可能であり、前記オーディオ出力部はオーディオを出力することを特徴とする、請求項１に記載のインフレータブル家具セット。
【請求項４】
前記電源供給装置は、直流電力または交流電力を供給し、前記家具エアバッグの連接方法は、マジックテープ(登録商標)、係合具、又はジッパーを利用することを特徴とする、請求項１に記載のインフレータブル家具セット。
【請求項５】
前記収納箱は二つのサイドプレートを有し、前記二つのサイドプレートの周縁には、ジッパーがそれぞれ設けられ、前記各ジッパーにより前記各サイドプレートが定位され前記収容空間が封止され、前記各サイドプレートの内側には、家具バッグがそれぞれ設けられ、前記家具バッグにエアを注入することにより、前記家具バッグがソファーまたはベッドになることを特徴とする、請求項１に記載のインフレータブル家具セット。
【考案の詳細な説明】
【技術分野】
【０００１】
本考案は、家具に関し、特に、インフレータブル家具セットに関するものである。
【背景技術】
【０００２】
仕事を終わって帰宅した後、心地良い家具（例えばソファーやベッドなど）に座ったり、横たわったりすることにより、溜まったストレスを解消することができるが、一般の家具の占めるスペースが広いので、このような家具を部屋に置くと、部屋の利用可能なスペースが狭くなる。このような問題を解決するために、インフレータブル家具が開発されて市販されている。従来のインフレータブル家具は、エアポンプによりエアをベッドエアバッグに注入して、ベッドとして利用することができ、利用後に、ベッドエアバッグ内のエアを排出して折畳んで収納することができる。しかし、従来のインフレータブル家具によれば、収納箇所を忘れることがよくあった。
【考案の概要】
【考案が解決しようとする課題】
【０００３】
本考案の主な目的は、家具エアバッグにエアを注入することにより、ソファー又はベッドが形成されて利用可能であり、なお、このようなソファー又はベッドを利用しないときに、家具エアバッグ内のエアを排出して家具エアバッグを折畳むと、収納箱に収納することができ、且つ収納箱はテーブルとして利用することもできるインフレータブル家具セットを提供することにある。
【課題を解決するための手段】
【０００４】
本考案のインフレータブル家具セットによると、収容空間を有し、少なくとも一つの開け可能なサイドプレートと、その下面に設けられる複数のキャスターと、一つの伸縮プルと、を含む収納箱と、前記収納箱と連接するポンプと、前記ポンプと電気的に連接し、少なくとも一つの制御ツマミと電気的に連接し、前記制御ツマミは前記ポンプのオン・オフを制御する電源供給装置と、前記収納箱のサイドプレートの内側に設けられ、前記ポンプと連接する少なくとも一つの家具エアバッグと、を備えることを特徴とする。
【０００５】
本考案のインフレータブル家具セットによると、前記収納箱の上面には、チェス、囲碁、又は将棋などの碁盤格子が設けられることを特徴とする。
【０００６】
本考案のインフレータブル家具セットによると、更に、前記収納箱に設けられる音声放送装置を含み、前記音声放送装置は、オーディオ入力部と、オーディオ出力部と、を含み、前記オーディオ入力部には、ＵＳＢメモリや信号伝送ケーブルを電気的に連接可能であり、前記オーディオ出力部はオーディオを出力することを特徴とする。
【０００７】
本考案のインフレータブル家具セットによると、前記電源供給装置は、直流電力または交流電力を供給し、前記家具エアバッグの連接方法は、マジックテープ（登録商標）、係合具、又はジッパーを利用することを特徴とする。
【０００８】
本考案のインフレータブル家具セットによると、前記収納箱は二つのサイドプレートを有し、前記二つのサイドプレートの周縁には、ジッパーがそれぞれ設けられ、前記各ジッパーにより前記各サイドプレートが定位され前記収容空間が封止され、前記各サイドプレートの内側には、家具バッグがそれぞれ設けられ、前記家具バッグにエアを注入することにより、前記家具バッグがソファーまたはベッドになることを特徴とする。
【考案の効果】
【０００９】
本考案のインフレータブル家具セットによれば、家具エアバッグにエアを注入することにより、ソファー又はベッドが形成されて利用可能であり、なお、このようなソファー又はベッドを利用しないときに、家具エアバッグ内のエアを排出して家具エアバッグを折畳むと、収納箱に収納することができ、且つ収納箱はテーブルとして利用することもでき、スペースを有効に利用することができ、使用が極めて便利であるという効果を有する。
【図面の簡単な説明】
【００１０】
【図１】本考案のインフレータブル家具セットが収納状態にあり、且つ電源供給装置が直流電力を供給することを示す模式図である。
【図２】本考案のインフレータブル家具セットが収納状態にあり、且つ電源供給装置が交流電力を供給することを示す模式図である。
【図３】本考案のインフレータブル家具セットのポンプが外部接続式であることを示す模式図である。
【図４】本考案のインフレータブル家具セットのサイドプレートが開けられ、且つ家具エアバッグにエアが注入されていない状態の模式図である。
【図５】本考案のインフレータブル家具セットの二つの家具エアバッグにエアが注入されてベッドになる状態の模式図である。
【図６】本考案のインフレータブル家具セットの一つだけの家具エアバッグにエアが注入されてベッドになる状態の模式図である。
【図７】本考案のインフレータブル家具セットの両側にある家具エアバッグにエアが注入されてそれぞれソファーになる状態の模式図である。
【図８】本考案のインフレータブル家具セットの両側にある家具エアバッグにエアが注入されてそれぞれ一つのベッドと一つのソファーになる状態の模式図である。
【図９】本考案のインフレータブル家具セットの収納箱にキャスターと伸縮プルが設けられる状態の模式図である。
【図１０】本考案のインフレータブル家具セットのキャスターと伸縮プルが設けられる収納箱の使用状態の模式図である。
【考案を実施するための最良の形態】
【００１１】
以下、本考案の実施の形態を図面に基づいて説明する。
まず、図１乃至図６を参照する。本考案のインフレータブル家具セットは、収納箱１０と、ポンプ２０と、電源供給装置３０と、二つの家具エアバッグ４０と、音声放送装置５０と、を含む。
【００１２】
前記収納箱１０は、荷物箱の形態を有し、収容空間１１を有し、且つ二つの開け可能なサイドプレート１２を有し、前記二つのサイドプレート１２の周縁にジッパー１２１が設けられ、前記各ジッパー１２１により前記各サイドプレート１２が定位され前記収容空間１１が封止される。前記収納箱１０の上面には、チェス、囲碁、又は将棋などの碁盤格子１３が設けられる。
【００１３】
前記ポンプ２０は、前記収納箱１０と連接し、図１及び図２に示すように、前記収納箱１０内に設けられてもいいし、図３に示すように、外部接続の形態にしてもよい。
【００１４】
前記電源供給装置３０は、前記ポンプ２０と電気的に連接し、二つの制御ツマミ３１と電気的に連接し、前記制御ツマミ３１は前記ポンプ２０のオン・オフを制御可能である。前記電源供給装置３０は、図１に示すように、直流電力を供給してもいいし、図２に示すように、交流電力を供給してもよい。
【００１５】
前記二つの家具エアバッグ４０は、前記収納箱１０の前記サイドプレート１２の内側に設けられ、前記ポンプ２０と連接する。前記二つの家具エアバッグ４０にエアを注入することにより、ベッド４０Ａが形成され、なお、前記家具エアバッグ４０内のエアを排出して前記家具エアバッグ４０を折畳むと、前記収納箱１０の前記サイドプレート１２に、折畳まれた前記家具エアバッグ４０を収納することができ、前記サイドプレート１２を閉めるときに、折畳まれた前記家具エアバッグ４０が前記収容空間１１に収容される。連接または分解を快速で容易にするために、前記家具エアバッグ４０の連接方法は、マジックテープ(登録商標)、係合具、又はジッパーを利用する。
【００１６】
前記音声放送装置５０は、前記収納箱１０に設けられ、オーディオ入力部５１と、オーディオ出力部５２と、を含み、前記オーディオ入力部５１には、ＵＳＢメモリや信号伝送ケーブルを電気的に連接可能であり、前記オーディオ出力部５２はオーディオを出力する。
【００１７】
利用しないときに、前記各家具エアバッグ４０は折畳まれて前記収納箱１０の前記サイドプレート１２の内側に設けられる。利用したいときには、前記収納箱１０の前記サイドプレート１２を開けて、前記家具エアバッグ４０を展開して、前記制御ツマミ３１により前記ポンプ２０をオンにすると、前記家具エアバッグ４０にエアが注入され、エアの注入が終わったときに、前記家具エアバッグ４０は、ベッド４０Ａの形態になり、ベッドとして利用可能である。本考案のインフレータブル家具セットは、エアの注入が極めて快速であり、エアの過度注入はないため、エアの過度注入による損壊は発生しない。前記収納箱１０の上面には、チェス、囲碁、又は将棋などの碁盤格子１３が設けられるため、ユーザは将棋などをすることができる。前記音声放送装置５０により、ユーザは好きな音楽を放送することができるため、気持ちをリラックスすることができ、寝付に誘導する効果を達成することもできる。前記電源供給装置３０に二つの制御ツマミ３１が設けられ、前記二つの制御ツマミ３１により、二つの家具エアバッグ４０のエアの注入をそれぞれ制御することができる。
【００１８】
ベッド４０Ａを利用しないときに、家具エアバッグ４０内のエアを排出して前記家具エアバッグ４０を折畳むと、前記収納箱１０の前記サイドプレート１２に前記家具エアバッグ４０を収納することができ、前記サイドプレート１２を閉めるときに、折畳まれた前記家具エアバッグ４０が前記収容空間１１に収容される。且つ前記収納箱１０はテーブルとして利用することもできる。
【００１９】
もちろん、本考案のインフレータブル家具セットは、図６に示すように、必要に応じて一つだけの家具エアバッグ４０にエアを注入して利用することができ、そうすると、据付スペースを節約することができる。
【００２０】
前記収納箱１０の両側にある家具エアバッグ４０は、図７に示すように、二つのソファー４０Ｂの形態にしてもいいし、一つのベッド４０Ａと一つのソファー４０Ｂとの形態にしてもよい。そうすると、使用の便利性が更に向上する。
【００２１】
図９及び図１０に示すように、前記収納箱１０に複数のキャスター１４を設けてもよく、前記複数のキャスター１４により前記収納箱１０の移動が容易になる。前記収納箱１０に伸縮プル１５を設けてもよく、前記伸縮プル１５により前記収納箱１０の移動が便利になる。
【産業上の利用可能性】
【００２２】
本考案は、家具に適用することができる。
【符号の説明】
【００２３】
１０：収納箱、１１：収容空間、１２：サイドプレート、１３：碁盤格子、１４：キャスター、１５：伸縮プル、２０：ポンプ、３０：電源供給装置、３１：制御ツマミ、４０：家具エアバッグ、４０Ａ：ベッド、４０Ｂ：ソファー、５０：音声放送装置、５１：オーディオ入力部、５２：オーディオ出力部、１２１：ジッパー。
【図１】
0003157663.tif 000003
【図２】
0003157663.tif 000004
【図３】
0003157663.tif 000005
【図４】
0003157663.tif 000006
【図５】
0003157663.tif 000007
【図６】
0003157663.tif 000008
【図７】
0003157663.tif 000009
【図８】
0003157663.tif 000010
【図９】
0003157663.tif 000011
【図１０】
0003157663.tif 000012